(57)【要約】      （修正有）【課題】ドライバービットを取り出すことができ、ドライバービットが挟持状態から解除されて不用意に滑り落ちることがないドライバービットの収納器を提供する。【解決手段】ドライバービットの収納器は、互いに対向する二つのベース１を備える。二つのベース１は、対向する面に、ドライバービットを挿入する直線状に配列された複数の挿入口１０と、複数の挿入口１０の間に設けられる隔壁１１と、複数の挿入口１０と隔壁１１とにより形成された開口部１２とを有し、一端が互いに回転可能に結合され、他端に係合構造部が設けられ、底部には、隔壁１１の間にドライバービットを当接させるストッパ１３が設けられ、対向する面と反対側の面に、高さがストッパ１３より大きい孔１４を有する。【選択図】図２
0003165970.tif 000002
【実用新案登録請求の範囲】
【請求項１】
互いに対向する二つのベースを備えるドライバービットの収納器であって、
前記二つのベースは、対向する面に、ドライバービットを挿入する直線状に配列される複数の挿入口と、前記複数の挿入口の間に設けられる隔壁と、前記複数の挿入口と前記隔壁とにより形成される開口部とを有し、
前記二つのベースの底部には、前記隔壁の間に前記ドライバービットを当接させるストッパが設けられ、
前記二つのベースは、対向する面と反対側の面に、高さが前記ストッパより大きい孔を有し、
前記二つのベースは、一端が互いに回転可能に結合され、他端に係合構造部が設けられ、
前記二つのベースは、前記係合構造部により固定されて閉められることを特徴とするドライバービットの収納器。
【請求項２】
前記二つのベースの高さは、前記一端から前記他端にかけて徐々に小さくなることを特徴とする請求項１に記載のドライバービットの収納器。
【請求項３】
前記二つのベースには、前記一端に複数の耳部が突設され、
前記複数の耳部には、孔部が設けられ、
前記孔部に枢軸を貫設させることを特徴とする請求項１に記載のドライバービットの収納器。
【請求項４】
前記係合構造部は、一つのベースに設けられる係合部と、他一つのベースに設けられる係合ストッパとにより構成され、
前記係合部と前記係合ストッパとが係合され、前記二つのベースを閉めることを特徴とする請求項１に記載のドライバービットの収納器。
【請求項５】
前記複数の挿入口は、前記二つのベースの前記対向する面に沿って形成されることを特徴とする請求項１に記載のドライバービットの収納器。
【請求項６】
前記二つのベースのうちの何れか１つは、前記他端に設けられる係合耳部を有することを特徴とする請求項１に記載のドライバービットの収納器。
【考案の詳細な説明】
【技術分野】
【０００１】
本考案はドライバービットの収納器に関する。
【背景技術】
【０００２】
従来、ドライバービットの収納器は、一般に直線状に配列された複数の挿入口を有する。挿入口は、頂部から底部にかけて六角形の形状で構成されている。挿入口の幅は、ドライバービットの幅より小さいため、挿入口にドライバービットを挿入すると、挿入口の幅とドライバービットの幅との差により、挿入口にドライバービットを位置決めさせることができる。しかし、従来のドライバービットの収納器は、ドライバービットを確実に固定させることができても、ドライバービットが挿入口に一定の力で固定されているため、ユーザは力を込めなければ取り出すことができなかった。
【０００３】
上述の問題に鑑み、図６に示すように、構造が改良されたドライバービットの収納器９が開示されている。ドライバービットの収納器９は、上述したような挿入口９０を有し、挿入口９０の両側には、隔壁９１がそれぞれ設けられている。ドライバービットの収納器９の底部は、隔壁９１に対向するように突出し、底部に傾斜するように設けられた傾斜孔９２により、挿入口９０の底部と連通している。挿入口９０は、二つの隔壁９１の側部に、傾斜孔９２にかけて設けられた開口部９３を有するため、ドライバービットの収納器９からドライバービット９４を取り出す場合、挿入口９０内のドライバービット９４を二つの隔壁９１間から開口部へ向けて倒し、傾斜孔９２に挿入すると取り出すことができる。これにより、上述したようなドライバービットの収納器９から取り出すことが不便である問題を解決することができる。
【考案の概要】
【考案が解決しようとする課題】
【０００４】
しかし、上述の構造が改良されたドライバービットの収納器９にドライバービット９４を装着して持ち運ぶ際、挿入口９０の開口部９３からドライバービット９４が露出されているため、ドライバービット９４に不用意に触ってしまい、図７に示すように、ドライバービット９４が二つの隔壁９１間に挟持されていた状態が解除され、傾斜孔９２から滑り落ちてしまう虞がある。特にドライバービット９４が長いほど、ドライバービットの収納器９からドライバービット９４が滑り落ちる可能性が高くなる。
【０００５】
そのため、従来のドライバービットの収納器の問題点を解決することができるドライバービットの収納器が求められていた。
【０００６】
本考案の主な目的は、従来技術の問題点を解決し、ドライバービットの収納器から容易にドライバービットを取り出したり、ドライバービットを挟持状態から解除した際に、不用意に滑り落ちることを防いだりすることができる上、収納可能なドライバービットの数が従来より多く、相対的に体積が小さいドライバービットの収納器を提供することにある。
【課題を解決するための手段】
【０００７】
上記目的を達成するため、本考案によるドライバービットの収納器は、二つのベースを備え、二つのベースは、それぞれ対向する面に、ドライバービットを挿入する直線状に配列された複数の挿入口と、複数の挿入口の間に設けられる隔壁と、複数の挿入口と隔壁とにより形成された開口部とを有し、一端が互いに回転可能に結合され、他端に係合構造部が設けられ、底部には、隔壁の間にドライバービットを当接させるストッパが設けられ、対向する面と反対側の面に、高さがストッパより大きい孔を有する。開口部により、ドライバービットを開口側へ動くことができる。孔により、二つの隔壁による挟持からドライバービットを動かして外すことができる。二つのベースは、他端に設けられた係合構造部により固定されて閉められる。
【０００８】
また、本考案によるドライバービットの収納器において、二つのベースの高さは、一端から他端にかけて徐々に小さくなる。
【０００９】
また、本考案によるドライバービットの収納器において、二つのベースには、一端に複数の耳部が突設され、耳部には、孔部がそれぞれ設けられ、孔部に枢軸を貫設させる。
【００１０】
また、本考案によるドライバービットの収納器において、係合構造部は、一つのベースに設けられる係合部と、他一つのベースに設けられる係合ストッパとにより構成られ、係合部と係合ストッパとを係合させて二つのベースを閉める。
【００１１】
また、本考案によるドライバービットの収納器において、複数の挿入口は、二つのベースの対向する面に沿って形成される。
【００１２】
また、本考案によるドライバービットの収納器において、二つのベースのうちの何れか１つは、他端に設けられる係合耳部を有する。
【図面の簡単な説明】
【００１３】
【図１】本考案の一実施形態によるドライバービットの収納器を示す斜視図である。
【図２】本考案の一実施形態によるドライバービットの収納器を示す分解斜視図である。
【図３】本考案の一実施形態によるドライバービットの収納器を開いたときの状態を示す斜視図である。
【図４】本考案の一実施形態によるドライバービットの収納器のベースを閉めてからドライバービットを挿入したときの状態を示す模式図である。
【図５】本考案の一実施形態によるドライバービットの収納器からドライバービットを取り出すときの状態を示す模式図である。
【図６】従来のドライバービットの収納器にドライバービットを収納するときの状態を示す斜視図である。
【図７】従来のドライバービットの収納器に収納されるドライバービットが不用意に触られて滑り落ちるときの状態を示す模式図である。
【考案を実施するための形態】
【００１４】
本考案によるドライバービットの収納器を図面に基づいて説明する。
（一実施形態）
図１〜図３に示すように、本考案の一実施形態によるドライバービットの収納器は、二つのベース１を備える。ベース１は、対向する面に、直線状に配列された複数の挿入口１０と、複数の挿入口１０の間に設けられる隔壁１１と、挿入口１０と隔壁１１とにより形成される開口部１２とを有する。
【００１５】
複数の挿入口１０は、六角形状であり、ベース１の対向する面に沿って形成される。ドライバービット２（図４及び図５参照）を挿入口１０に挿入することができる。二つの隔壁１１の間隔は、ドライバービット２の幅より小さい。これにより、二つの隔壁１１によりドライバービット２を挟持して固定させることができる。ドライバービット２は、開口部１２により開口側へ動く。ベース１の底部には、二つの隔壁１１の間に設けられたストッパ１３を有する。ストッパ１３は、ドライバービット２を動かす際、当接させるために用いる。二つのベース１の対向する面と反対側の面に、高さがストッパ１３より大きい孔１４を有する。ドライバービット２は、二つの隔壁１１による挟持から外された際、孔１４により動くことができる。孔１４の高さがストッパ１３より大きいため、ベース１からドライバービット２を取り出すことができる。
【００１６】
図１〜図３に示すように、二つのベース１は、一端が互いに回転可能に結合され、ベース１を動かして開口部１２同士を互いに重ね、他端に設けられる係合構造部３により固定される。本実施形態による係合構造部３は、一つのベース１が有する係合部３０と、他一つのベース１が有する係合ストッパ３１とにより構成される。二つのベース１は、係合部３０と係合ストッパ３１とを係合して閉められることができる。さらに、ベース１の係合部３０には、掛止に用いる係合耳部４が端部に設けられる。
【００１７】
本実施形態によるベース１の高さは、一端から他端にかけて徐々に小さくなり、ベース１には、一端に複数の耳部１５が突設されている。耳部１５には、孔部１５０がそれぞれ設けられている。複数の耳部１５をそれぞれ重ねてから、孔部１５０に枢軸１６を貫設し、二つのベース１を回転可能に結合させる。
【００１８】
上述の説明から分かるように、二つのベース１を開くとき、ベース１上の挿入口１０にドライバービット２を挿入し、挿入口１０の両側に設けられた隔壁１１によりドライバービット２を挟持する。また、二つのベース１を閉めるとき、二つのベース１の開口部１２が向き合い、二つのベース１のドライバービット２は、互いに向こうのドライバービット２によりブロックされ、ベース１から滑り落ちることがなくなる（図４参照）。図５に示すように、ベース１からドライバービット２を取り出す際、二つのベース１を開き、開口部１２の開口側へ向かってドライバービット２を動かす。ドライバービット２がベース１の底部にあるストッパ１３に当接されるため、ドライバービット２を動かす際、開口部１２の開口側に向かって力を加え易くなる。また、孔１４のストッパ１３より高い部分の余裕空間により、ドライバービット２の底端部が跳ね上がり、隔壁１１からドライバービット２を抜いて取り出すことができる。
【００１９】
（考案の効果）
上述したことより、本考案によるドライバービットの収納器は、以下（１）及び（２）の効果を有する。
（１）ベース１の底部に設けられるストッパ１３は、ドライバービット２に当接され、梃子の原理により力が加えられ易いため、ドライバービット２を取り出すときに加える力が従来より小さくてすむ。そのため、ベース１からドライバービット２を容易に取り出すことができる。
（２）ドライバービットの収納器は、二つのベース１が互いに回転可能に結合され、二つのベース１を閉めて収納することができるため、開口部１２の相対的な構造を利用して挿入口１０内のドライバービット２が互いにブロックされる。これにより、ベース１中のドライバービット２を持ち運ぶ際にもベース１へ確実に位置決めし、ベース１からドライバービット２が不用意に滑り落ちることを防ぐことができる。
【００２０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１      ・・・ベース
１０    ・・・挿入口
１１    ・・・隔壁
１２    ・・・開口部
１３    ・・・ストッパ
１４    ・・・孔
１５    ・・・耳部
１５０  ・・・孔部
１６    ・・・枢軸
２      ・・・ドライバービット
３      ・・・係合構造部
３０    ・・・係合部
３１    ・・・係合ストッパ
４      ・・・係合耳部
９      ・・・ドライバービットの収納器
９０    ・・・挿入口
９１    ・・・隔壁
９２    ・・・傾斜孔
９３    ・・・開口部
９４    ・・・ドライバービット
【図１】
0003165970.tif 000003
【図２】
0003165970.tif 000004
【図３】
0003165970.tif 000005
【図４】
0003165970.tif 000006
【図５】
0003165970.tif 000007
【図６】
0003165970.tif 000008
【図７】
0003165970.tif 000009